(57)【要約】  測定用方法、ネットワーク装置及び端末装置を提供する。該方法は、５Ｇ通信システムに適用され、ネットワーク装置は測定設定情報を端末装置に送信し、前記測定設定情報は無認可周波数帯域での第１の基準信号の複数の送信機会に関する設定情報を含むことと、該ネットワーク装置は、該複数の送信機会に、該第１の基準信号を該端末装置に送信することと、を含む。本発明の実施例は測定用方法を提供し、ネットワーク装置が端末装置に対して測定設定情報を設定することによって、無認可周波数帯域での５Ｇ端末装置が受信された基準信号を測定することができる。
2021514556.tif 000002
【特許請求の範囲】
【請求項１】
測定用方法であって、
５Ｇ通信システムに適用され、
ネットワーク装置は測定設定情報を端末装置に送信し、前記測定設定情報は無認可周波数帯域での第１の基準信号の複数の送信機会に関する設定情報を含むことと、
前記ネットワーク装置は、前記複数の送信機会に、前記第１の基準信号を前記端末装置に送信することと、を含むことを特徴とする測定用方法。
【請求項２】
前記複数の送信機会は同一の時間ウィンドウに属し、前記設定情報は、時間ウィンドウ内の前記複数の送信機会に関する設定情報を含み、
前記ネットワーク装置が、前記複数の送信機会に、前記第１の基準信号を前記端末装置に送信することは、
前記ネットワーク装置は、前記同一の時間ウィンドウ内の前記複数の送信機会に、前記第１の基準信号をリッスンビフォアトーク方式で前記端末装置に送信することを含むことを特徴とする請求項１に記載の方法。
【請求項３】
前記ネットワーク装置は測定設定情報を端末装置に送信する前に、前記方法は、
前記ネットワーク装置は、前記第１の基準信号のタイプを含む少なくとも１つの基準信号タイプと、前記少なくとも１つの基準信号タイプに対応する時間ウィンドウ情報とを含むマッピング関係情報を前記端末装置に送信すること、を更に含むことを特徴とする請求項２に記載の方法。
【請求項４】
前記時間ウィンドウ情報は、前記時間ウィンドウの開始位置及び／又は前記時間ウィンドウの終了位置を含むことを特徴とする請求項３に記載の方法。
【請求項５】
前記測定設定情報は、固定時間位置での複数のオフセット値を含み、
前記ネットワーク装置が、前記複数の送信機会に、前記第１の基準信号を前記端末装置に送信することは、
前記ネットワーク装置は、前記複数のオフセット値に応じて決定された前記複数の送信機会に、前記第１の基準信号を前記端末装置に送信することを含むことを特徴とする請求項１に記載の方法。
【請求項６】
前記ネットワーク装置が測定設定情報を端末装置に送信することは、
前記ネットワーク装置は、前記測定設定情報を含むシステム情報を前記端末装置に送信することを含むことを特徴とする請求項１〜５のいずれか１項に記載の方法。
【請求項７】
前記ネットワーク装置が測定設定情報を端末装置に送信することは、
前記ネットワーク装置は、前記測定設定情報を含む無線リソース制御（ＲＲＣ）シグナリングを前記端末装置に送信することを含むことを特徴とする請求項１〜５のいずれか１項に記載の方法。
【請求項８】
前記第１の基準信号は、同期信号ブロック（ＳＳＢ）又はチャネル状態情報測定基準信号（ＣＳＩ−ＲＳ）であることを特徴とする請求項１〜７のいずれか１項に記載の方法。
【請求項９】
前記ネットワーク装置は前記端末装置により送信されたレポート情報を受信し、前記レポート情報は、指示情報と前記端末装置が前記第１の基準信号に基づいて取得したセル品質とを含み、前記指示情報は、前記端末装置により報告されたセル品質が、前記端末装置がサンプリング値の紛失を考慮した後のセル品質であることを示す、ことを更に含むことを特徴とする請求項１〜８のいずれか１項に記載の方法。
【請求項１０】
測定用方法であって、
５Ｇ通信システムに適用され、
端末装置はネットワーク装置により送信された測定設定情報を受信し、前記測定設定情報は無認可周波数帯域での第１の基準信号の複数の送信機会に関する設定情報を含むことと、
前記端末装置は、前記設定情報に基づいて、前記複数の送信機会に前記第１の基準信号を受信して測定することと、
前記端末装置は、前記複数の送信機会に受信された前記第１の基準信号の測定値に基づいて前記セル品質を決定することと、を含むことを特徴とする測定用方法。
【請求項１１】
前記端末装置が、前記複数の送信機会に受信された前記第１の基準信号の測定値に基づいて前記セル品質を決定することは、
前記端末装置は、前記複数の送信機会のうちの第１の送信機会に前記第１の基準信号を受信していない場合、前記第１の送信機会より前の第２の送信機会に受信された前記第１の基準信号の測定値を、前記第１の送信機会での前記第１の基準信号の測定値として決定することを含むことを特徴とする請求項１０に記載の方法。
【請求項１２】
前記複数の送信機会は同一の時間ウィンドウに属し、前記設定情報は、時間ウィンドウ内の前記複数の送信機会に関する設定情報を含むことを特徴とする請求項１０又は１１に記載の方法。
【請求項１３】
前記端末装置は、ネットワーク装置により送信された測定設定情報を受信する前に、前記方法は、
前記端末装置は、前記第１の基準信号のタイプを含む少なくとも１つの基準信号タイプと、前記少なくとも１つの基準信号タイプに対応する時間ウィンドウ情報とを含む、前記ネットワーク装置により送信されたマッピング関係情報を受信することと、
前記端末装置は、前記マッピング関係情報及び前記第１の基準信号のタイプに基づいて、前記第１の基準信号に対応する時間ウィンドウを決定することと、を更に含み、
前記端末装置が、前記設定情報に基づいて、前記複数の送信機会に前記第１の基準信号を受信して測定することは、
前記端末装置は、前記設定情報に基づいて、前記第１の基準信号に対応する時間ウィンドウ内の前記複数の送信機会に、前記第１の基準信号を受信して測定することを含むことを特徴とする請求項１２に記載の方法。
【請求項１４】
前記時間ウィンドウ情報は、前記時間ウィンドウの開始位置及び／又は前記時間ウィンドウの終了位置を含む、ことを特徴とする請求項１３に記載の方法。
【請求項１５】
前記測定設定情報は、固定時間位置での複数のオフセット値を含み、
前記端末装置が、前記設定情報に基づいて、前記複数の送信機会に前記第１の基準信号を受信して測定することは、
前記端末装置は、前記複数のオフセット値に応じて決定された前記複数の送信機会に、前記ネットワーク装置により送信された前記第１の基準信号を受信することを含むことを特徴とする請求項１０又は１１に記載の方法。
【請求項１６】
前記端末装置が、ネットワーク装置により送信された測定設定情報を受信することは、
前記端末装置は、前記測定設定情報を含む、前記ネットワーク装置により送信されたシステム情報を受信することを含むことを特徴とする請求項１０〜１５のいずれか１項に記載の方法。
【請求項１７】
前記端末装置が、ネットワーク装置により送信された測定設定情報を受信することは、
前記端末装置は、前記測定設定情報を含む、前記ネットワーク装置により送信された無線リソース制御（ＲＲＣ）シグナリングを受信することを含むことを特徴とする請求項１０〜１５のいずれか１項に記載の方法。
【請求項１８】
前記第１の基準信号は、同期信号ブロック（ＳＳＢ）又はチャネル状態情報測定基準信号（ＣＳＩ−ＲＳ）であることを特徴とする請求項１０〜１７のいずれか１項に記載の方法。
【請求項１９】
前記端末装置はレポート情報を前記ネットワーク装置に送信し、前記レポート情報は、指示情報と前記端末装置が前記第１の基準信号に基づいて取得したセル品質とを含み、前記指示情報は、前記端末装置により報告されたセル品質が、前記端末装置がサンプリング値の紛失を考慮した後のセル品質であることを示す、ことを更に含むことを特徴とする請求項１０〜１８のいずれか１項に記載の方法。
【請求項２０】
前記端末装置が、前記複数の送信機会に受信された前記第１の基準信号の測定値に基づいてセル品質を決定することは、
前記端末装置は、式Ｆｎ＝（１−ａ）＊Ｆｎ−１＋ａＭｎに応じて前記セル品質を決定し、ここで、前記ｎはサンプリング回数を表し、前記Ｆｎはセル品質を表し、前記Ｍｎは測定値を表し、前記ａは重み係数を表すことを特徴とする請求項１０〜１９のいずれか１項に記載の方法。
【請求項２１】
ネットワーク装置であって、
５Ｇ通信システムに適用され、送信ユニットを備え、
前記送信ユニットは、
測定設定情報を端末装置に送信し、前記測定設定情報は無認可周波数帯域での第１の基準信号の複数の送信機会に関する設定情報を含むことと、
前記複数の送信機会に、前記第１の基準信号を前記端末装置に送信することと、に用いられることを特徴とするネットワーク装置。
【請求項２２】
前記複数の送信機会は同一の時間ウィンドウに属し、前記設定情報は、時間ウィンドウ内の前記複数の送信機会に関する設定情報を含み、
前記送信ユニットは、具体的には、
前記同一の時間ウィンドウ内の前記複数の送信機会に、前記第１の基準信号をリッスンビフォアトーク方式で前記端末装置に送信する、ことに用いられることを特徴とする請求項２１に記載のネットワーク装置。
【請求項２３】
前記送信ユニットは、更に、
測定設定情報を端末装置に送信する前に、前記第１の基準信号のタイプを含む少なくとも１つの基準信号タイプと、前記少なくとも１つの基準信号タイプに対応する時間ウィンドウ情報とを含むマッピング関係情報を前記端末装置に送信する、ことに用いられることを特徴とする請求項２２に記載のネットワーク装置。
【請求項２４】
前記時間ウィンドウ情報は、前記時間ウィンドウの開始位置及び／又は前記時間ウィンドウの終了位置を含むことを特徴とする請求項２３に記載のネットワーク装置。
【請求項２５】
前記測定設定情報は、固定時間位置での複数のオフセット値を含み、
前記送信ユニットは、具体的には、
前記複数のオフセット値に応じて決定された前記複数の送信機会に、前記第１の基準信号を前記端末装置に送信する、ことに用いられることを特徴とする請求項２１に記載のネットワーク装置。
【請求項２６】
前記送信ユニットは、具体的には、
前記測定設定情報を含むシステム情報を前記端末装置に送信する、ことに用いられることを特徴とする請求項２１〜２５のいずれか１項に記載のネットワーク装置。
【請求項２７】
前記送信ユニットは、具体的には、
前記測定設定情報を含む無線リソース制御（ＲＲＣ）シグナリングを前記端末装置に送信する、ことに用いられることを特徴とする請求項２１〜２５のいずれか１項に記載のネットワーク装置。
【請求項２８】
前記第１の基準信号は、同期信号ブロック（ＳＳＢ）又はチャネル状態情報測定基準信号（ＣＳＩ−ＲＳ）であることを特徴とする請求項２１〜２７のいずれか１項に記載のネットワーク装置。
【請求項２９】
前記端末装置により送信されたレポート情報を受信し、前記レポート情報は、指示情報と前記端末装置が前記第１の基準信号に基づいて取得したセル品質とを含み、前記指示情報は、前記端末装置により報告されたセル品質が、前記端末装置がサンプリング値の紛失を考慮した後のセル品質であることを示す、ことに用いられる受信ユニットを更に備える、ことを特徴とする請求項２１〜２８のいずれか１項に記載のネットワーク装置。
【請求項３０】
端末装置であって、
５Ｇ通信システムに適用され、
ネットワーク装置により送信された測定設定情報を受信し、前記測定設定情報は無認可周波数帯域での第１の基準信号の複数の送信機会に関する設定情報を含む、ことに用いられ送受信ユニットと、
前記設定情報に基づいて、前記複数の送信機会に前記第１の基準信号を受信して測定し、更に、前記複数の送信機会に受信された前記第１の基準信号の測定値に基づいて前記セル品質を決定することに用いられる処理ユニットと、を備える、ことを特徴とする端末装置。
【請求項３１】
前記処理ユニットは、具体的には、
前記複数の送信機会のうちの第１の送信機会に前記第１の基準信号を受信していない場合、前記第１の送信機会より前の第２の送信機会に受信された前記第１の基準信号の測定値を、前記第１の送信機会での前記第１の基準信号の測定値として決定する、ことに用いられることを特徴とする請求項３０に記載の端末装置。
【請求項３２】
前記複数の送信機会は同一の時間ウィンドウに属し、前記設定情報は、時間ウィンドウ内の前記複数の送信機会に関する設定情報を含むことを特徴とする請求項３０又は３１に記載の端末装置。
【請求項３３】
前記送受信ユニットは、更に、
ネットワーク装置により送信された測定設定情報を受信する前に、前記第１の基準信号のタイプを含む少なくとも１つの基準信号タイプと、前記少なくとも１つの基準信号タイプに対応する時間ウィンドウ情報とを含む、前記ネットワーク装置により送信されたマッピング関係情報を受信することに用いられ、
前記処理ユニットは、具体的には、
前記マッピング関係情報及び前記第１の基準信号のタイプに基づいて、前記第１の基準信号に対応する時間ウィンドウを決定することと、
前記設定情報に基づいて、前記第１の基準信号に対応する時間ウィンドウ内の前記複数の送信機会に、前記第１の基準信号を受信して測定することと、に用いられることを特徴とする請求項３２に記載の端末装置。
【請求項３４】
前記時間ウィンドウ情報は、前記時間ウィンドウの開始位置及び／又は前記時間ウィンドウの終了位置を含むことを特徴とする請求項３３に記載の端末装置。
【請求項３５】
前記測定設定情報は、固定時間位置での複数のオフセット値を含み、
前記処理ユニットは、具体的には、
前記複数のオフセット値に応じて決定された前記複数の送信機会に、前記ネットワーク装置により送信された前記第１の基準信号を受信する、ことに用いられることを特徴とする請求項３０又は３１に記載の端末装置。
【請求項３６】
前記送受信ユニットは、具体的には、
前記測定設定情報を含む、前記ネットワーク装置により送信されたシステム情報を受信する、ことに用いられることを特徴とする請求項３０〜３５のいずれか１項に記載の端末装置。
【請求項３７】
前記送受信ユニットは、具体的には、
前記測定設定情報を含む、前記ネットワーク装置により送信された無線リソース制御（ＲＲＣ）シグナリングを受信する、ことに用いられることを特徴とする請求項３０〜３５のいずれか１項に記載の端末装置。
【請求項３８】
前記第１の基準信号は、同期信号ブロック（ＳＳＢ）又はチャネル状態情報測定基準信号（ＣＳＩ−ＲＳ）であることを特徴とする請求項３０〜３７のいずれか１項に記載の端末装置。
【請求項３９】
前記送受信ユニットは、更に、
レポート情報を前記ネットワーク装置に送信し、前記レポート情報は、指示情報と前記端末装置が前記第１の基準信号に基づいて取得したセル品質とを含み、前記指示情報は、前記端末装置により報告されたセル品質が、前記端末装置がサンプリング値の紛失を考慮した後のセル品質であることを示す、ことに用いられることを特徴とする請求項３０〜３８のいずれか１項に記載の端末装置。
【請求項４０】
前記処理ユニットは、より具体的には、
式Ｆｎ＝（１−ａ）＊Ｆｎ−１＋ａＭｎに応じて前記セル品質を決定し、ここで、前記ｎはサンプリング回数を表し、前記Ｆｎはセル品質を表し、前記Ｍｎは測定値を表し、前記ａは重み係数を表す、ことに用いられることを特徴とする請求項３０〜３９のいずれか１項に記載の端末装置。
【発明の詳細な説明】
【技術分野】
【０００１】
本発明の実施例は通信分野に関し、より具体的には、測定用方法、ネットワーク装置及び端末装置に関する。
【背景技術】
【０００２】
第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ：３ＧＰＰ）ロングタームエボリューション（Ｌｏｎｇ  Ｔｅｒｍ  Ｅｖｏｌｕｔｉｏｎ：ＬＴＥ）には、ライセンスアシストアクセス（Ｌｉｃｅｎｓｅｄ−Ａｓｓｉｓｔｅｄ  Ａｃｃｅｓｓ：ＬＡＡ）技術が導入されている。例えば、キャリアアグリゲーション（ＣＡ）のフレームワークに基づき、第５世代移動通信技術（５−Ｇｅｎｅｒａｔｉｏｎ：５Ｇ）の新無線インタフェース（Ｎｅｗ  Ｒａｄｉｏ：  ＮＲ）も、より高い速度を与えるように無認可周波数帯域を十分に利用する。
【０００３】
従来技術では、ＬＴＥでのプライマリセル（ＰＣｅｌｌ）が認可周波数帯域で動作するが、セカンダリセル（ＳＣｅｌｌ）が無認可周波数帯域で動作し、すなわち、ＳＣｅｌｌのみが無認可周波数帯域で動作でき、ＰＣｅｌｌが認可周波数帯域で動作できない。５Ｇ  ＮＲでは、ＰＣｅｌｌ及びＳＣｅｌｌの両方は、無認可周波数帯域で動作することができる。
【０００４】
しかしながら、基地局は無認可周波数帯域で基準信号（例えば、ＳＳＢ及びＣＳＩ−ＲＳ）を送信する場合、ＬＢＴ障害が発生して該基準信号を送信できなくなる場合があり、この場合、ＵＥが、如何にこれらの基準信号を測定するか、及び如何に基地局に報告するかは、緊急に解決すべき問題となっている。
【発明の概要】
【０００５】
無認可周波数帯域での５Ｇ端末装置が受信された基準信号を測定することを可能にする測定用方法、ネットワーク装置及び端末装置を提供する。
【０００６】
第１の態様は、５Ｇ通信システムに適用され、
ネットワーク装置は測定設定情報を端末装置に送信し、前記測定設定情報は無認可周波数帯域での第１の基準信号の複数の送信機会に関する設定情報を含むことと、
前記ネットワーク装置は、前記複数の送信機会に、前記第１の基準信号を前記端末装置に送信することと、を含む測定用方法を提供する。
【０００７】
本発明の実施例は測定用方法を提供し、ネットワーク装置が端末装置に対して測定設定情報を設定することによって、無認可周波数帯域での５Ｇ端末装置が受信された基準信号を測定することができる。
【０００８】
いくつかの可能な実現形態では、前記複数の送信機会は同一の時間ウィンドウに属し、前記設定情報は、時間ウィンドウ内の前記複数の送信機会に関する設定情報を含み、前記ネットワーク装置が、前記複数の送信機会に、前記第１の基準信号を前記端末装置に送信することは、
前記ネットワーク装置は、前記同一の時間ウィンドウ内の前記複数の送信機会に、前記第１の基準信号をリッスンビフォアトーク方式で前記端末装置に送信することを含む。
【０００９】
いくつかの可能な実現形態では、前記ネットワーク装置は測定設定情報を端末装置に送信する前に、前記方法は、
前記ネットワーク装置は、前記第１の基準信号のタイプを含む少なくとも１つの基準信号タイプと、前記少なくとも１つの基準信号タイプに対応する時間ウィンドウ情報とを含むマッピング関係情報を前記端末装置に送信することを更に含む。
【００１０】
いくつかの可能な実現形態では、前記時間ウィンドウ情報は、前記時間ウィンドウの開始位置及び／又は前記時間ウィンドウの終了位置を含む。
【００１１】
いくつかの可能な実現形態では、前記測定設定情報は、固定時間位置での複数のオフセット値を含み、前記ネットワーク装置が、前記複数の送信機会に、前記第１の基準信号を前記端末装置に送信することは、
前記ネットワーク装置は、前記複数のオフセット値に応じて決定された前記複数の送信機会に、前記第１の基準信号を前記端末装置に送信することを含む。
【００１２】
いくつかの可能な実現形態では、前記ネットワーク装置が測定設定情報を端末装置に送信することは、
前記ネットワーク装置は、前記測定設定情報を含むシステム情報を前記端末装置に送信することを含む。
【００１３】
いくつかの可能な実現形態では、前記ネットワーク装置が測定設定情報を端末装置に送信することは、
前記ネットワーク装置は、前記測定設定情報を含む無線リソース制御（ＲＲＣ）シグナリングを前記端末装置に送信することを含む。
【００１４】
いくつかの可能な実現形態では、前記第１の基準信号は、同期信号ブロック（ＳＳＢ）又はチャネル状態情報測定基準信号（ＣＳＩ−ＲＳ）である。
【００１５】
いくつかの可能な実現形態では、前記方法は、
前記ネットワーク装置は前記端末装置により送信されたレポート情報を受信し、前記レポート情報は、指示情報と前記端末装置が前記第１の基準信号に基づいて取得したセル品質とを含み、前記指示情報は、前記端末装置により報告されたセル品質が、前記端末装置がサンプリング値の紛失を考慮した後のセル品質であることを示すことを更に含む。
【００１６】
第２の態様は、５Ｇ通信システムに適用され、
端末装置はネットワーク装置により送信された測定設定情報を受信し、前記測定設定情報は無認可周波数帯域での第１の基準信号の複数の送信機会に関する設定情報を含むことと、
前記端末装置は、前記設定情報に基づいて、前記複数の送信機会に前記第１の基準信号を受信して測定することと、
前記端末装置は、前記複数の送信機会に受信された前記第１の基準信号の測定値に基づいて前記セル品質を決定することと、を含む測定用方法を提供する。
【００１７】
いくつかの可能な実現形態では、前記端末装置が、前記複数の送信機会に受信された前記第１の基準信号の測定値に基づいて前記セル品質を決定することは、
前記端末装置は、前記複数の送信機会のうちの第１の送信機会に前記第１の基準信号を受信していない場合、前記第１の送信機会より前の第２の送信機会に受信された前記第１の基準信号の測定値を、前記第１の送信機会での前記第１の基準信号の測定値として決定することを含む。
【００１８】
いくつかの可能な実現形態では、前記複数の送信機会は同一の時間ウィンドウに属し、前記設定情報は、時間ウィンドウ内の前記複数の送信機会に関する設定情報を含む。
【００１９】
いくつかの可能な実現形態では、前記端末装置は、ネットワーク装置により送信された測定設定情報を受信する前に、前記方法は、
前記端末装置は、前記第１の基準信号のタイプを含む少なくとも１つの基準信号タイプと、前記少なくとも１つの基準信号タイプに対応する時間ウィンドウ情報とを含む、前記ネットワーク装置により送信されたマッピング関係情報を受信することと、前記端末装置は、前記マッピング関係情報及び前記第１の基準信号のタイプに基づいて、前記第１の基準信号に対応する時間ウィンドウを決定することと、を更に含み、
前記端末装置が、前記設定情報に基づいて、前記複数の送信機会に前記第１の基準信号を受信して測定することは、
前記端末装置は、前記設定情報に基づいて、前記第１の基準信号に対応する時間ウィンドウ内の前記複数の送信機会に、前記第１の基準信号を受信して測定することを含む。
【００２０】
いくつかの可能な実現形態では、前記時間ウィンドウ情報は、前記時間ウィンドウの開始位置及び／又は前記時間ウィンドウの終了位置を含む。
【００２１】
いくつかの可能な実現形態では、前記測定設定情報は、固定時間位置での複数のオフセット値を含み、前記端末装置が、前記設定情報に基づいて、前記複数の送信機会に前記第１の基準信号を受信して測定することは、
前記端末装置は、前記複数のオフセット値に応じて決定された前記複数の送信機会に、前記ネットワーク装置により送信された前記第１の基準信号を受信することを含む。
【００２２】
いくつかの可能な実現形態では、前記端末装置が、ネットワーク装置により送信された測定設定情報を受信することは、
前記端末装置は、前記測定設定情報を含む、前記ネットワーク装置により送信されたシステム情報を受信することを含む。
【００２３】
いくつかの可能な実現形態では、前記端末装置が、ネットワーク装置により送信された測定設定情報を受信することは、
前記端末装置は、前記測定設定情報を含む、前記ネットワーク装置により送信された無線リソース制御（ＲＲＣ）シグナリングを受信することを含む。
【００２４】
いくつかの可能な実現形態では、前記第１の基準信号は、同期信号ブロック（ＳＳＢ）又はチャネル状態情報測定基準信号（ＣＳＩ−ＲＳ）である。
【００２５】
いくつかの可能な実現形態では、前記方法は、
前記端末装置はレポート情報を前記ネットワーク装置に送信し、前記レポート情報は、指示情報と前記端末装置が前記第１の基準信号に基づいて取得したセル品質とを含み、前記指示情報は、前記端末装置により報告されたセル品質が、前記端末装置がサンプリング値の紛失を考慮した後のセル品質であることを示すことを更に含む。
【００２６】
いくつかの可能な実現形態では、前記端末装置が、前記複数の送信機会に受信された前記第１の基準信号の測定値に基づいてセル品質を決定することは、
前記端末装置は、式Ｆｎ＝（１−ａ）＊Ｆｎ−１＋ａＭｎに応じて前記セル品質を決定することを含み、ここで、前記ｎはサンプリング回数を表し、前記Ｆｎはセル品質を表し、前記Ｍｎは測定値を表し、前記ａは重み係数を表す。
【００２７】
第３の態様は、ネットワーク装置を提供し、５Ｇ通信システムに適用され、前記ネットワーク装置は送信ユニットを備え、前記送信ユニットは、
測定設定情報を端末装置に送信し、前記測定設定情報は無認可周波数帯域での第１の基準信号の複数の送信機会に関する設定情報を含むことと、
前記複数の送信機会に、前記第１の基準信号を前記端末装置に送信することと、に用いられる。
【００２８】
第４の態様は、端末装置を提供し、５Ｇ通信システムに適用され、前記端末装置は、
ネットワーク装置により送信された測定設定情報を受信し、前記測定設定情報は無認可周波数帯域での第１の基準信号の複数の送信機会に関する設定情報を含む、ことに用いられ送受信ユニットと、
前記設定情報に基づいて、前記複数の送信機会に前記第１の基準信号を受信して測定し、更に、前記複数の送信機会に受信された前記第１の基準信号の測定値に基づいて前記セル品質を決定することに用いられる処理ユニットと、を備える。
【００２９】
第５の態様は、ネットワーク装置を提供し、５Ｇ通信システムに適用され、前記ネットワーク装置は送受信機を備え、前記送受信機は、
測定設定情報を端末装置に送信し、前記測定設定情報は無認可周波数帯域での第１の基準信号の複数の送信機会に関する設定情報を含むことと、
前記複数の送信機会に、前記第１の基準信号を前記端末装置に送信することと、に用いられる。
【００３０】
第６の態様は、端末装置を提供し、５Ｇ通信システムに適用され、前記端末装置は、
ネットワーク装置により送信された測定設定情報を受信し、前記測定設定情報は無認可周波数帯域での第１の基準信号の複数の送信機会に関する設定情報を含む、ことに用いられる送受信機と、
前記設定情報に基づいて、前記複数の送信機会に前記第１の基準信号を受信して測定し、更に、前記複数の送信機会に受信された前記第１の基準信号の測定値に基づいて前記セル品質を決定することに用いられるプロセッサと、を備える。
【００３１】
第７の態様は、上記第１の態様又は第２の態様の方法実施例を実行する命令を含むコンピュータプログラムが記憶されるコンピュータ読み取り可能な媒体を提供する。
【００３２】
第８の態様は、入力インタフェースと、出力インタフェースと、少なくとも１つのプロセッサと、メモリとを備え、前記プロセッサが前記メモリ内のコードを実行し、前記コードが実行されると、前記プロセッサが上記第１の態様又は第２の態様の測定用方法のネットワーク装置により実行される各過程を実現することを可能にするコンピュータチップを提供する。
【００３３】
第９の態様は、入力インタフェースと、出力インタフェースと、少なくとも１つのプロセッサと、メモリとを備え、前記プロセッサが前記メモリ内のコードを実行し、前記コードが実行されると、前記プロセッサが上記第１の態様又は第２の態様の測定用方法の端末装置により実行される各過程を実現することを可能にするコンピュータチップを提供する。
【００３４】
第１０の態様は、前記ネットワーク装置と、端末装置とを備える通信システムを提供する。
【図面の簡単な説明】
【００３５】
【図１】図１は本発明の適用シナリオの例を示す図である。
【図２】図２は本発明の実施例に係る測定用方法を示す概略的なフローチャートである。
【図３】図３は本発明の実施例に係る複数の送信機会を示す概略的な図である。
【図４】図４は本発明の実施例に係る時間ウィンドウを示す概略的な図である。
【図５】図５は本発明の実施例に係るネットワーク装置を示す概略的なブロック図である。
【図６】図６は本発明の実施例に係る他のネットワーク装置を示す概略的なブロック図である。
【図７】図７は本発明の実施例に係る端末装置を示す概略的なブロック図である。
【図８】図８は本発明の実施例に係る他の端末装置を示す概略的なブロック図である。
【発明を実施するための形態】
【００３６】
図１は本発明の実施例に係る５Ｇ適用シナリオを示す図である。
【００３７】
図１に示すように、通信システム１００は、端末装置１１０と、ネットワーク装置１２０とを備えている。ネットワーク装置１２０は、無線インタフェースを介して端末装置１１０と通信を行うことができる。端末装置１１０とネットワーク装置１２０との間のマルチサービス伝送をサポートしている。
【００３８】
本発明の実施例は５Ｇ通信システム１００のみを例示的に説明するが、これに限定されるものではないことが理解される。すなわち、本発明の実施例の技術案は、５Ｇ通信システムを含む様々なシナリオ、例えば、５Ｇ通信システム及び第１の通信システムからなるハイブリッドデプロイシナリオ等に適用される。該第１の通信システムは、任意の通信システム、例えば、ロングタームエボリューション（Ｌｏｎｇ  Ｔｅｒｍ  Ｅｖｏｌｕｔｉｏｎ：ＬＴＥ）システム、ＬＴＥ時分割複信（Ｔｉｍｅ  Ｄｉｖｉｓｉｏｎ  Ｄｕｐｌｅｘ：ＴＤＤ）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）等であってもよい。
【００３９】
また、本発明はネットワーク装置及び端末装置を組み合わせて各実施例を説明している。
【００４０】
ネットワーク装置１２０は、信号を送受信するネットワーク側の任意のエンティティ、例えば、５Ｇネットワークの基地局装置等を指してもよい。
【００４１】
端末装置１１０は、任意の端末装置であってもよい。具体的には、端末装置１１０は、無線アクセスネットワーク（Ｒａｄｉｏ  Ａｃｃｅｓｓ  Ｎｅｔｗｏｒｋ：ＲＡＮ）を介して１つ以上のコアネットワーク（Ｃｏｒｅ  Ｎｅｔｗｏｒｋ）と通信を行うことができ、アクセス端末、ユーザ装置（Ｕｓｅｒ  Ｅｑｕｉｐｍｅｎｔ：ＵＥ）、ユーザユニット、ユーザ局、移動局、移動台、遠隔局、遠隔端末、携帯装置、ユーザ端末、端末、無線通信装置、ユーザエージェント又はユーザデバイスを指してもよい。アクセス端末は、例えば、セルラー電話、コードレス電話、セッション開始プロトコル（Ｓｅｓｓｉｏｎ  Ｉｎｉｔｉａｔｉｏｎ  Ｐｒｏｔｏｃｏｌ：ＳＩＰ）電話、無線ローカルループ（Ｗｉｒｅｌｅｓｓ  Ｌｏｃａｌ  Ｌｏｏｐ：ＷＬＬ）局、パーソナルデジタルアシスタント（Ｐｅｒｓｏｎａｌ  Ｄｉｇｉｔａｌ  Ａｓｓｉｓｔａｎｔ：ＰＤＡ）、無線通信機能を有するハンドヘルド装置、コンピューティング装置又は無線モデムに接続される他の処理装置、車載装置、ウェアラブル装置等であってもよい。
【００４２】
しかしながら、上記シナリオに対して、第１の通信システムでのプライマリセル（ＰＣｅｌｌ）が認可周波数帯域（例えば、ＬＴＥ）で動作できない場合。５Ｇ  ＮＲでは、ＰＣｅｌｌ及びセカンダリセル（ＳＣｅｌｌ）の両方は、無認可周波数帯域で動作することができる。基地局は、無認可周波数帯域で基準信号（例えば、ＳＳＢ及びＣＳＩ−ＲＳ）を送信する場合、リッスンビフォアトーク（ＬＢＴ）障害が発生して該基準信号を送信できなくなる場合があり、この場合、ＵＥが、如何にこれらの基準信号を測定するか、及び如何に基地局に報告するかを解決しなければならない。
【００４３】
上記技術課題を解決するために、本発明の実施例は、測定用方法を提供し、ネットワーク装置が端末装置に対して測定設定情報を設定し、無認可周波数帯域での５Ｇ端末装置が受信された基準信号を測定することができる。
【００４４】
図２は本発明の実施例に係る測定用の概略的なフローチャートである。
【００４５】
具体的には、図２に示すように、該方法は以下を含む。
【００４６】
２１０、ネットワーク装置は測定設定情報を端末装置に送信し、該測定設定情報は無認可周波数帯域での第１の基準信号の複数の送信機会に関する設定情報を含む。
【００４７】
２２０、該ネットワーク装置は、該複数の送信機会に、該第１の基準信号を該端末装置に送信する。
【００４８】
２３０、該端末装置は、該複数の送信機会に受信された該第１の基準信号の測定値に基づいて該セル品質を決定する。
【００４９】
簡単に言うと、該ネットワーク装置は、測定設定情報を該端末装置に送信し、該測定設定情報に基づいて該第１の基準信号を該端末装置に送信する。
【００５０】
理解すべきなのは、本発明の実施例における複数の送信機会は、ネットワーク装置が端末装置に対して設定した、該第１の基準信号を送信可能な送信機会であり、本発明の実施例では、ネットワーク装置が具体的には該複数の送信機会に該第１の基準信号を該端末装置に送信するか否かが具体的に限定されない。すなわち、該ネットワーク装置は、該複数の送信機会のいずれかに該第１の基準信号を該端末装置に送信してもよく、該複数の送信機会の一部に該第１の基準信号を該端末装置に送信してもよく、該複数の送信機会に該第１の基準信号を該端末装置に送信しなくてもよい。具体的には、該第１の基準信号の送信モードに従って送信するか否かを決定し、チャネルのアイドル状態で送信するか否かを決定するようにしてもよく、これに対して、本発明の実施例は具体的に限定されない。
【００５１】
換言すると、端末装置は、ネットワーク装置により送信された測定設定情報を受信し、該端末装置は、該設定情報に基づいて、該複数の送信機会に該第１の基準信号を受信して測定し、該端末装置は、該複数の送信機会に受信された該第１の基準信号の測定値に基づいて該セル品質を決定する。
【００５２】
より具体的には、該端末装置は、式Ｆｎ＝（１−ａ）＊Ｆｎ−１＋ａＭｎに応じて該セル品質を決定し、ここで、該ｎはサンプリング回数を表し、該Ｆｎはセル品質を表し、該Ｍｎは測定値を表し、該ａは重み係数を表す。
【００５３】
ネットワーク装置が該複数の送信機会の一部又は全部に該第１の基準信号を該端末装置に送信しない可能性があるため、該端末装置がある基準信号を測定できない可能性があり、このため、セル品質の推定では、基準信号の紛失によるいくつかのサンプリング値の紛失も考慮する必要がある。
【００５４】
本発明の実施例では、サンプリング値を紛失した場合、上記式でセル品質を算出するとき、サンプリング回数に１を増加せず、すなわち、紛失したサンプリング値がスキップされる。例えば、該端末装置は、該複数の送信機会のうちの第１の送信機会に該第１の基準信号を受信していない場合、該第１の送信機会より前の第２の送信機会に受信された該第１の基準信号の測定値を、該第１の送信機会での該第１の基準信号の測定値として決定することができる。
【００５５】
すなわち、本発明の実施例では、端末装置はセル品質を決定するとき、サンプリング値の紛失を考慮することにより、該セル品質の正確性を効果的に向上させることができる。
【００５６】
本発明の実施例では、測定設定情報の具現化形態が限定されず、以下、例示的に説明されることが理解される。
【００５７】
一実施例では、図３に示すように、該測定設定情報は、直接的に該端末装置に該第１の基準信号の複数の送信機会を設定でき、すなわち、該端末装置は該複数の送信機会に該第１の基準信号を受信することを待機できる。
【００５８】
例えば、該測定設定情報は、固定時間位置での複数のオフセット値を含んでもよい。すなわち、該ネットワーク装置は、該複数のオフセット値に応じて決定された該複数の送信機会に、該第１の基準信号を該端末装置に送信する。それに対応し、該端末装置は、該複数のオフセット値に応じて決定された該複数の送信機会に、該ネットワーク装置により送信された該第１の基準信号を受信するだけでよい。
【００５９】
他の実施例では、図４に示すように、該複数の送信機会は同一の時間ウィンドウに属してもよく、該設定情報は、時間ウィンドウ内の該複数の送信機会に関する設定情報を含む。すなわち、該ネットワーク装置は、該同一の時間ウィンドウ内の該複数の送信機会に、該第１の基準信号をリッスンビフォアトーク方式で該端末装置に送信する。それに対応し、該端末装置は、この時間ウィンドウ内にネットワーク装置が送信する可能性がある該第１の基準信号を受信する必要がある。
【００６０】
本発明の実施例では、リッスンビフォアトーク（Ｌｉｓｔｅｎ  Ｂｅｆｏｒｅ  Ｔａｌｋ：ＬＢＴ）は、データを伝送する局が媒体上のキャリアの有無をリッスンすることにより、他の局がデータを伝送しているか否かを判断し、媒体がアイドルになると、該局がデータを伝送でき、さもなければ、該局が再試行する前にしらばく回避すると理解され得る。
【００６１】
任意選択で、該ネットワーク装置は測定設定情報を端末装置に送信する前に、該ネットワーク装置は、該第１の基準信号のタイプを含む少なくとも１つの基準信号タイプと、上記少なくとも１つの基準信号タイプに対応する時間ウィンドウ情報とを含むマッピング関係情報を該端末装置に送信することができる。換言すると、該端末装置は、該測定設定情報を受信する前に、該ネットワーク装置により送信されたマッピング関係情報を受信し、該端末装置は、該マッピング関係情報及び該第１の基準信号のタイプに基づいて、該第１の基準信号に対応する時間ウィンドウを決定し、該端末装置は、該設定情報に基づいて、該第１の基準信号に対応する時間ウィンドウ内の該複数の送信機会に、該第１の基準信号を受信して測定してもよい。
【００６２】
さらに、該時間ウィンドウ情報は、該時間ウィンドウの開始位置及び／該時間ウィンドウの終了位置を含む。
【００６３】
本発明の実施例では、該ネットワーク装置が測定設定情報を端末装置に送信する方式が具体的に限定されないことが理解される。
【００６４】
例えば、該ネットワーク装置は、該測定設定情報を含むシステム情報を該端末装置に送信してもよい。
【００６５】
他の例として、該ネットワーク装置は、該測定設定情報を含む無線リソース制御（Ｒａｄｉｏ  Ｒｅｓｏｕｒｃｅ  Ｃｏｎｔｒｏｌ：ＲＲＣ）シグナリングを該端末装置に送信してもよい。
【００６６】
本発明の実施例では、第１の基準信号のタイプが具体的に限定されず、例えば、該第１の基準信号が、同期信号ブロック（Ｓｙｎｃｈｒｏｎｉｚａｔｉｏｎ  Ｓｉｇｎａｌ  Ｂｌｏｃｋ：ＳＳＢ）又はチャネル状態情報測定基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：ＣＳＩ−ＲＳ）であることがさらに理解される。
【００６７】
さらに、本発明の実施例は、端末装置がセル品質を報告する方法を更に提供する。具体的には、該端末装置はレポート情報を該ネットワーク装置に送信し、該レポート情報は、指示情報と該端末装置が該第１の基準信号に基づいて取得したセル品質とを含み、該指示情報は、該端末装置により報告されるセル品質が、該端末装置がサンプリング値の紛失を考慮した後のセル品質であることを示す。ネットワーク装置にとって、該ネットワーク装置は、該端末装置により送信されたレポート情報を受信し、該レポート情報基づいて、該端末装置により報告されたセル品質を、該端末装置がサンプリング値の紛失を考慮した後のセル品質として決定する。
【００６８】
図５は本発明の実施例に係るネットワーク装置を示す概略的なブロック図である。本発明の実施例に係るネットワーク装置は、５Ｇ通信システム、すなわち５Ｇネットワーク装置又は５Ｇネットワーク要素に適用されることが理解される。
【００６９】
具体的には、図５に示すように、該ネットワーク装置５００は、送信ユニット５１０を備え、該送信ユニット５１０は、
測定設定情報を端末装置に送信し、該測定設定情報は無認可周波数帯域での第１の基準信号の複数の送信機会に関する設定情報を含むことと、該複数の送信機会に、該第１の基準信号を該端末装置に送信することと、に用いられる。
【００７０】
任意選択で、該複数の送信機会は同一の時間ウィンドウに属し、該設定情報は、時間ウィンドウ内の複数の送信機会に関する設定情報を含み、該送信ユニット５１０は、具体的には、
該同一の時間ウィンドウ内の該複数の送信機会に、該第１の基準信号をリッスンビフォアトーク方式で該端末装置に送信する。
【００７１】
任意選択で、該送信ユニット５１０は、更に、
測定設定情報を端末装置に送信する前に、該第１の基準信号のタイプを含む少なくとも１つの基準信号タイプと、上記少なくとも１つの基準信号タイプに対応する時間ウィンドウ情報とを含むマッピング関係情報を該端末装置に送信することに用いられる。
【００７２】
任意選択で、該時間ウィンドウ情報は、該時間ウィンドウの開始位置及び／又は該時間ウィンドウの終了位置を含む。
【００７３】
任意選択で、該測定設定情報は、固定時間位置での複数のオフセット値を含み、
該送信ユニット５１０は、具体的には、該複数のオフセット値に応じて決定された該複数の送信機会に、該第１の基準信号を該端末装置に送信することに用いられる。
【００７４】
任意選択で、該送信ユニット５１０は、具体的には、
該測定設定情報を含むシステム情報を該端末装置に送信することに用いられる。
【００７５】
任意選択で、該送信ユニット５１０は、具体的には、
該測定設定情報を含む無線リソース制御（ＲＲＣ）シグナリングを該端末装置に送信することに用いられる。
【００７６】
任意選択で、該第１の基準信号は、同期信号ブロック（ＳＳＢ）又はチャネル状態情報測定基準信号（ＣＳＩ−ＲＳ）である。
【００７７】
任意選択で、該ネットワーク装置は、
該端末装置により送信されたレポート情報を受信し、該レポート情報は、指示情報と該端末装置が該第１の基準信号に基づいて取得したセル品質とを含み、該指示情報は、該端末装置により報告されたセル品質が、該端末装置がサンプリング値の紛失を考慮した後のセル品質であることを示す、ことに用いられる受信ユニット５２０を更に備える。
【００７８】
なお、送信ユニット５１０及び受信ユニット５２０はいずれも送受信機により実現され得る。
【００７９】
図６に示すように、ネットワーク装置６００は、プロセッサ６１０、送受信機６２０、及びメモリ６３０を備えている。メモリ６３０は指示情報を記憶し、更にプロセッサ６１０で実行されるコード、命令等を記憶することができる。ネットワーク装置６００における各部品はバスシステムによって接続され、バスシステムはデータバスを含む以外、電源バス、制御バス及び状態信号バスを含む。
【００８０】
図６に示すネットワーク装置６００は、上記図２の方法実施例のネットワーク装置により実現される各過程を実現でき、繰り返しを避けるために、ここで繰り返し説明しない。
【００８１】
図７は本発明の実施例に係る端末装置を示す概略的なブロック図である。本発明の実施例に係る端末装置は、５Ｇ通信システム、すなわち５Ｇ端末に適用されることが理解される。
【００８２】
具体的には、図５に示すように、該端末装置７００は、
ネットワーク装置により送信された測定設定情報を受信し、該測定設定情報は無認可周波数帯域での第１の基準信号の複数の送信機会に関する設定情報を含む、ことに用いられる送受信ユニット７１０と、
該設定情報に基づいて、該複数の送信機会に該第１の基準信号を受信して測定し、更に、該複数の送信機会に受信された該第１の基準信号の測定値に基づいて該セル品質を決定することに用いられる処理ユニット７２０と、を備える。
【００８３】
任意選択で、該処理ユニット７２０は、具体的には、
該複数の送信機会のうちの第１の送信機会に該第１の基準信号を受信していない場合、該第１の送信機会より前の第２の送信機会に受信された該第１の基準信号の測定値を、該第１の送信機会での該第１の基準信号の測定値として決定することに用いられる。
【００８４】
任意選択で、該複数の送信機会は同一の時間ウィンドウに属し、該設定情報は、時間ウィンドウ内の該複数の送信機会に関する設定情報を含む。
【００８５】
任意選択で、該送受信ユニット７１０は、更に、
ネットワーク装置により送信された測定設定情報を受信する前に、該第１の基準信号のタイプを含む少なくとも１つの基準信号タイプと、上記少なくとも１つの基準信号タイプに対応する時間ウィンドウ情報とを含む、該ネットワーク装置により送信されたマッピング関係情報を受信することに用いられ、
該処理ユニット７２０は、具体的には、
該マッピング関係情報及び該第１の基準信号のタイプに基づいて、該第１の基準信号に対応する時間ウィンドウを決定することと、該設定情報に基づいて、該第１の基準信号に対応する時間ウィンドウ内の該複数の送信機会に、該第１の基準信号を受信して測定することと、に用いられる。
【００８６】
任意選択で、該時間ウィンドウ情報は、該時間ウィンドウの開始位置及び／又は該時間ウィンドウの終了位置を含む。
【００８７】
任意選択で、該測定設定情報は、固定時間位置での複数のオフセット値を含み、
該処理ユニット７２０は、具体的には、該複数のオフセット値に応じて決定された該複数の送信機会に、該ネットワーク装置により送信された該第１の基準信号を受信することに用いられる。
【００８８】
任意選択で、該送受信ユニット７１０は、具体的には、
該測定設定情報を含む、該ネットワーク装置により送信されたシステム情報を受信することに用いられる。
【００８９】
任意選択で、該送受信ユニット７１０は、具体的には、
該測定設定情報を含む、該ネットワーク装置により送信された無線リソース制御（ＲＲＣ）シグナリングを受信することに用いられる。
【００９０】
任意選択で、該第１の基準信号は、同期信号ブロック（ＳＳＢ）又はチャネル状態情報測定基準信号（ＣＳＩ−ＲＳ）である。
【００９１】
任意選択で、該送受信ユニット７１０は、更に、
レポート情報を該ネットワーク装置に送信し、該レポート情報は、指示情報と該端末装置が該第１の基準信号に基づいて取得したセル品質とを含み、該指示情報は、該端末装置により報告されたセル品質が、該端末装置がサンプリング値の紛失を考慮した後のセル品質であることを示すことに用いられる。
【００９２】
任意選択で、該処理ユニット７２０は、より具体的には、
式Ｆｎ＝（１−ａ）＊Ｆｎ−１＋ａＭｎに応じて該セル品質を決定し、ここで、該ｎはサンプリング回数を表し、該Ｆｎはセル品質を表し、該Ｍｎは測定値を表し、該ａは重み係数を表す。
【００９３】
なお、送受信ユニット７１０は、送受信機により実現され、処理ユニット７２０はプロセッサにより実現され得る。図８に示すように、端末装置８００は、プロセッサ８１０、送受信機８２０、及びメモリ８３０を備えてもよい。メモリ８３０は指示情報を記憶し、更にプロセッサ８１０で実行されるコード、命令等を記憶することができる。端末装置８００における各部品はバスシステムによって接続され、バスシステムは、データバスを含む以外、電源バス、制御バス及び状態信号バスを含む。
【００９４】
図８に示す端末装置８００は、上記図２の方法実施例の端末装置により実現される各過程を実現することができ、繰り返しを避けるために、ここで繰り返し説明しない。
【００９５】
更に理解すべきなのは、本発明の実施例の方法実施例は、プロセッサに適用することができ、又はプロセッサにより実現することもできる。具体的には、実現過程において、本発明の実施例の方法実施例の各ステップは、プロセッサにおけるハードウェアの集積論理回路又はソフトウェア形態の命令で完了することができる。より具体的には、本発明の実施例に開示されている方法を組み合わせたステップはハードウェアデコードプロセッサにより実行して完了し、又はデコードプロセッサにおけるハードウェアとソフトウェアモジュールとの組み合わせにより実行して完了するように直接的に具現化される。ソフトウェアモジュールは、ランダムアクセスメモリ、フラッシュメモリ、読み出し専用メモリ、プログラマブル読み取り専用メモリ又は電気的消去可能プログラマブルメモリ、レジスタ等の本分野において成熟した記憶媒体に位置することができる。該記憶媒体はメモリに位置し、プロセッサはメモリ内の情報を読み取り、そのハードウェアを組み合わせて上記方法のステップを完了する。
【００９６】
プロセッサは、集積回路チップであってもよく、信号処理能力を有し、本発明の実施例に開示されている各方法、ステップ及び論理的ブロック図を実現又は実行することができる。例えば、上記プロセッサは、汎用プロセッサ、デジタル信号プロセッサ（ｄｉｇｉｔａｌ  ｓｉｇｎａｌ  ｐｒｏｃｅｓｓｏｒ：ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、フィールドプログラマブルゲートアレイ（ｆｉｅｌｄ  ｐｒｏｇｒａｍｍａｂｌｅ  ｇａｔｅ  ａｒｒａｙ：ＦＰＧＡ）又は他のプログラマブルロジックデバイス、トランジスタロジックデバイス、離散ハードウェアコンポーネント等であってもよい。また、汎用プロセッサは、マイクロプロセッサであってもよく、又は該プロセッサは任意の従来のプロセッサ等であってもよい。
【００９７】
また、本発明の実施例では、メモリは、揮発性メモリ又は不揮発性メモリであってもよく、又は揮発性と不揮発性メモリを共に含んでもよい。不揮発性メモリは、読み出し専用メモリ（ｒｅａｄ−ｏｎｌｙ  ｍｅｍｏｒｙ：ＲＯＭ）、プログラマブル読み取り専用メモリ（ｐｒｏｇｒａｍｍａｂｌｅ  ＲＯＭ：ＰＲＯＭ）、消去可能なプログラマブル読み取り専用メモリ（ｅｒａｓａｂｌｅ  ＰＲＯＭ：ＥＰＲＯＭ）、電気的に消去可能なプログラマブル読み取り専用メモリ（ｅｌｅｃｔｒｉｃａｌｌｙ  ＥＰＲＯＭ：ＥＥＰＲＯＭ）又はフラッシュメモリであってもよい。揮発性メモリは、ランダムアクセスメモリ（ｒａｎｄｏｍ  ａｃｃｅｓｓ  ｍｅｍｏｒｙ：ＲＡＭ）であってもよく、外部キャッシュとして使用される。上記メモリが例示的なものであるが限定するためのものではない説明によって、例えば、本発明の実施例のメモリは、スタティックランダムアクセスメモリ（ｓｔａｔｉｃ  ＲＡＭ：ＳＲＡＭ）、ダイナミックランダムアクセスメモリ（ｄｙｎａｍｉｃ  ＲＡＭ：ＤＲＡＭ）、同期ダイナミックランダムアクセスメモリ（ｓｙｎｃｈｒｏｎｏｕｓ  ＤＲＡＭ：ＳＤＲＡＭ）、ダブルデータ速率同期ダイナミックランダムアクセスメモリ（ｄｏｕｂｌｅ  ｄａｔａ  ｒａｔｅ  ＳＤＲＡＭ：ＤＤＲ  ＳＤＲＡＭ）、強化型同期ダイナミックランダムアクセスメモリ（ｅｎｈａｎｃｅｄ  ＳＤＲＡＭ：ＥＳＤＲＡＭ）、同期接続ダイナミックランダムアクセスメモリ（ｓｙｎｃｈ  ｌｉｎｋ  ＤＲＡＭ：ＳＬＤＲＡＭ）及び直接メモリバスランダムアクセスメモリ（Ｄｉｒｅｃｔ  Ｒａｍｂｕｓ  ＲＡＭ：ＤＲ  ＲＡＭ）等であってもよい。すなわち、本明細書に説明されるシステム及び方法のメモリは、これらと任意の他の適合なタイプのメモリを含むがこれらに限定されない。
【００９８】
なお、本発明の実施例及び添付された特許請求の範囲で使用される用語は、単に特定の実施例を説明するためのもので、本発明の実施例を限定するものではない。
【００９９】
例えば、本発明の実施例及び添付された特許請求の範囲で使用される単数形「１種」、「前記」及び「該」は、コンテキストに他の意味を明確に記載する限り、多数形を含むことが意図されている。
【０１００】
他の例として、文脈に応じて、例えば、ここで使用される単語「……時」は、「もし」又は「れば」又は「……場合」又は「確定に応じて」又は「検出に応じて」と解釈され得る。同様に、文脈に応じて、短句「確定した場合」又は「（述べた条件又はイベント）を検出した場合」は、「確定したとき」又は「確定に応じて」又は「（述べた条件又はイベント）を検出したとき」又は「（述べた条件又はイベント）の検出に応じて」と解釈され得る。
【０１０１】
当業者は、本明細書に開示されている実施例に記載の各例示的なユニット及びアルゴリズムステップを組み合わせて、電子ハードウェア、又はコンピュータソフトウェア及び電子ハードウェアの組み合わせで実現することができることを認識できる。これらの機能がハードウェアで実行するかそれともソフトウェアで実行するかは、技術案の特定のアプリケーション及び設計制約条件に決められる。当業者は、各特定のアプリケーションに対して異なる方法で説明した機能を実現することができるが、このような実現は、本発明の実施例の範囲を超えると考えられない。
【０１０２】
当業者は、便宜上且つ簡単に説明するために、上記説明されたシステム、装置及びユニットの具体的な作業過程が、上記方法実施例における対応する過程を参照することができ、ここで繰り返し説明しないことを明らかに理解できるものとする。
【０１０３】
本願で提供するいくつかの実施例では、開示されているシステム、装置及び方法は、他の方式で実現されることが理解できる。例えば、上記説明された装置実施例は単に例示的なものに過ぎず、例えば、前記ユニットの分割は、論理的な機能分割に過ぎず、実際に実現する場合、他の分割方式があり、例えば、複数のユニット又は部品を結合してもよく、又は他のシステムに集積してもよく、又はいくつかの特徴を無視することができ、又は実行しなくてもよい。また、表示又は検討した相互結合又は直接結合又は通信接続は、いくつかのインタフェース、装置又はユニットによる間接結合又は通信接続であってもよく、電気的、機械的又は他の形態であってもよい。
【０１０４】
上記分離部材として説明したユニットは、物理的に分離してもよく、又は分離しなくてもよく、ユニットとして表示した部材は、物理ユニットであってもよく、又は物理ユニットでなくてもよく、すなわち、１つの場所に位置してもよく、又は複数のネットワークユニットに分布してもよい。実際の需要に応じてその中の一部又は全部のユニットを選択して本発明の実施例の目的を実現することができる。
【０１０５】
また、本発明の実施例における各機能ユニットは１つの処理ユニットに集積されてもよく、各ユニットは単独に物理的に存在してもよく、２つ以上のユニットは１つのユニットに集積されてもよい。
【０１０６】
ソフトウェア機能ユニットの形態で実現するとともに独立した製品として販売又は使用される場合、１つのコンピュータ読み取り可能な記憶媒体に記憶することができる。このような理解に基づき、本発明の実施例の技術案の実質又は従来技術に貢献する部分又は該技術案の一部はソフトウェア製品の形態で体現することができ、該コンピュータソフトウェア製品は、１つの記憶媒体に記憶され、１台のコンピュータ装置（パーソナルコンピュータ、サーバ、又はネットワーク装置等であってもよい）が本発明の実施例に記載の方法の全部又は一部のステップを実行させるいくつかの命令を含む。上記記憶媒体は、Ｕディスク、モバイルハードディスク、読み出し専用メモリ、ランダムアクセスメモリ、磁気ディスク又は光ディスク等のプロクラムコードを記憶可能な様々な媒体である。
【０１０７】
以上は、本発明の実施例の具体的な実施形態に過ぎず、本発明の実施例の保護範囲はこれに限定されず、当業者が本発明の実施例に開示されている技術的範囲内に、容易に想到できる変化又は置換はすべて本発明の実施例の保護範囲内に含まれる。このため、本発明の実施例の保護範囲は特許請求の範囲による保護範囲を基準とすべきである。
【図１】
2021514556.tif 000003
【図２】
2021514556.tif 000004
【図３】
2021514556.tif 000005
【図４】
2021514556.tif 000006
【図５】
2021514556.tif 000007
【図６】
2021514556.tif 000008
【図７】
2021514556.tif 000009
【図８】
2021514556.tif 000010
【手続補正書】
【提出日】令和2年12月7日(2020.12.7)
【手続補正１】
【補正対象書類名】明細書
【補正対象項目名】０００３
【補正方法】変更
【補正の内容】
【０００３】
従来技術では、ＬＴＥでのプライマリセル（ＰＣｅｌｌ）が認可周波数帯域で動作するが、セカンダリセル（ＳＣｅｌｌ）が無認可周波数帯域で動作し、すなわち、ＳＣｅｌｌのみが無認可周波数帯域で動作でき、ＰＣｅｌｌが無認可周波数帯域で動作できない。５Ｇ  ＮＲでは、ＰＣｅｌｌ及びＳＣｅｌｌの両方は、無認可周波数帯域で動作することができる。
【手続補正２】
【補正対象書類名】明細書
【補正対象項目名】００２８
【補正方法】変更
【補正の内容】
【００２８】
第４の態様は、端末装置を提供し、５Ｇ通信システムに適用され、前記端末装置は、
ネットワーク装置により送信された測定設定情報を受信し、前記測定設定情報は無認可周波数帯域での第１の基準信号の複数の送信機会に関する設定情報を含む、ことに用いられ送受信ユニットと、
前記設定情報に基づいて、前記複数の送信機会に前記第１の基準信号を受信するように前記送受信ユニットを制御し、そして前記第１の基準信号を測定し、更に、前記複数の送信機会に受信された前記第１の基準信号の測定値に基づいて前記セル品質を決定することに用いられる処理ユニットと、を備える。
【手続補正３】
【補正対象書類名】明細書
【補正対象項目名】００３０
【補正方法】変更
【補正の内容】
【００３０】
第６の態様は、端末装置を提供し、５Ｇ通信システムに適用され、前記端末装置は、
ネットワーク装置により送信された測定設定情報を受信し、前記測定設定情報は無認可周波数帯域での第１の基準信号の複数の送信機会に関する設定情報を含む、ことに用いられる送受信機と、
前記設定情報に基づいて、前記複数の送信機会に前記第１の基準信号を受信するように前記送受信機を制御し、そして前記第１の基準信号を測定し、更に、前記複数の送信機会に受信された前記第１の基準信号の測定値に基づいて前記セル品質を決定することに用いられるプロセッサと、を備える。
【手続補正４】
【補正対象書類名】明細書
【補正対象項目名】００４２
【補正方法】変更
【補正の内容】
【００４２】
しかしながら、上記シナリオに対して、第１の通信システムでのプライマリセル（ＰＣｅｌｌ）が無認可周波数帯域（例えば、ＬＴＥ）で動作できない。５Ｇ  ＮＲでは、ＰＣｅｌｌ及びセカンダリセル（ＳＣｅｌｌ）の両方は、無認可周波数帯域で動作することができる。基地局は、無認可周波数帯域で基準信号（例えば、ＳＳＢ及びＣＳＩ−ＲＳ）を送信する場合、リッスンビフォアトーク（ＬＢＴ）障害が発生して該基準信号を送信できなくなる場合があり、この場合、ＵＥが、如何にこれらの基準信号を測定するか、及び如何に基地局に報告するかを解決しなければならない。
【手続補正５】
【補正対象書類名】明細書
【補正対象項目名】００４４
【補正方法】変更
【補正の内容】
【００４４】
図２は本発明の実施例に係る測定用方法の概略的なフローチャートである。
【手続補正６】
【補正対象書類名】明細書
【補正対象項目名】００８２
【補正方法】変更
【補正の内容】
【００８２】
具体的には、図５に示すように、該端末装置７００は、
ネットワーク装置により送信された測定設定情報を受信し、該測定設定情報は無認可周波数帯域での第１の基準信号の複数の送信機会に関する設定情報を含む、ことに用いられる送受信ユニット７１０と、
該設定情報に基づいて、該複数の送信機会に該第１の基準信号を受信するように該送受信ユニット７１０を制御し、そして該第１の基準信号を測定し、更に、該複数の送信機会に受信された該第１の基準信号の測定値に基づいて該セル品質を決定することに用いられる処理ユニット７２０と、を備える。
【手続補正７】
【補正対象書類名】明細書
【補正対象項目名】００８５
【補正方法】変更
【補正の内容】
【００８５】
任意選択で、該送受信ユニット７１０は、更に、
ネットワーク装置により送信された測定設定情報を受信する前に、該第１の基準信号のタイプを含む少なくとも１つの基準信号タイプと、上記少なくとも１つの基準信号タイプに対応する時間ウィンドウ情報とを含む、該ネットワーク装置により送信されたマッピング関係情報を受信することに用いられ、
該処理ユニット７２０は、具体的には、
該マッピング関係情報及び該第１の基準信号のタイプに基づいて、該第１の基準信号に対応する時間ウィンドウを決定することと、該設定情報に基づいて、該第１の基準信号に対応する時間ウィンドウ内の該複数の送信機会に、該第１の基準信号を受信するように該送受信ユニット７１０を制御し、そして該第１の基準信号を測定することと、に用いられる。
【手続補正８】
【補正対象書類名】明細書
【補正対象項目名】００８７
【補正方法】変更
【補正の内容】
【００８７】
任意選択で、該測定設定情報は、固定時間位置での複数のオフセット値を含み、
該処理ユニット７２０は、具体的には、該複数のオフセット値に応じて決定された該複数の送信機会に、該ネットワーク装置により送信された該第１の基準信号を受信するように該送受信ユニット７１０を制御することに用いられる。
【手続補正９】
【補正対象書類名】特許請求の範囲
【補正対象項目名】全文
【補正方法】変更
【補正の内容】
【特許請求の範囲】
【請求項１】
測定用方法であって、
５Ｇ通信システムに適用され、
端末装置はネットワーク装置により送信された測定設定情報を受信し、前記測定設定情報は無認可周波数帯域での第１の基準信号の複数の送信機会に関する設定情報を含むことと、
前記端末装置は、前記設定情報に基づいて、前記複数の送信機会に前記第１の基準信号を受信して測定することと、
前記端末装置は、前記複数の送信機会に受信された前記第１の基準信号の測定値に基づいて前記セル品質を決定することと、を含むことを特徴とする測定用方法。
【請求項２】
前記端末装置が、前記複数の送信機会に受信された前記第１の基準信号の測定値に基づいて前記セル品質を決定することは、
前記端末装置は、前記複数の送信機会のうちの第１の送信機会に前記第１の基準信号を受信していない場合、前記第１の送信機会より前の第２の送信機会に受信された前記第１の基準信号の測定値を、前記第１の送信機会での前記第１の基準信号の測定値として決定することを含むことを特徴とする請求項１に記載の方法。
【請求項３】
前記複数の送信機会は同一の時間ウィンドウに属し、前記設定情報は、時間ウィンドウ内の前記複数の送信機会に関する設定情報を含み、
前記端末装置は、ネットワーク装置により送信された測定設定情報を受信する前に、前記方法は、
前記端末装置は、前記第１の基準信号のタイプを含む少なくとも１つの基準信号タイプと、前記少なくとも１つの基準信号タイプに対応する時間ウィンドウ情報とを含む、前記ネットワーク装置により送信されたマッピング関係情報を受信することと、
前記端末装置は、前記マッピング関係情報及び前記第１の基準信号のタイプに基づいて、前記第１の基準信号に対応する時間ウィンドウを決定することと、を更に含み、
前記端末装置が、前記設定情報に基づいて、前記複数の送信機会に前記第１の基準信号を受信して測定することは、
前記端末装置は、前記設定情報に基づいて、前記第１の基準信号に対応する時間ウィンドウ内の前記複数の送信機会に、前記第１の基準信号を受信して測定することを含み、
前記時間ウィンドウ情報は、前記時間ウィンドウの開始位置及び／又は前記時間ウィンドウの終了位置を含む、ことを特徴とする請求項１又は２に記載の方法。
【請求項４】
前記端末装置が、ネットワーク装置により送信された測定設定情報を受信することは、
前記端末装置は、前記測定設定情報を含む、前記ネットワーク装置により送信されたシステム情報を受信することを含むことを特徴とする請求項１〜３のいずれか１項に記載の方法。
【請求項５】
前記端末装置が、ネットワーク装置により送信された測定設定情報を受信することは、
前記端末装置は、前記測定設定情報を含む、前記ネットワーク装置により送信された無線リソース制御（ＲＲＣ）シグナリングを受信することを含むことを特徴とする請求項１〜３のいずれか１項に記載の方法。
【請求項６】
前記端末装置はレポート情報を前記ネットワーク装置に送信し、前記レポート情報は、指示情報と前記端末装置が前記第１の基準信号に基づいて取得したセル品質とを含み、前記指示情報は、前記端末装置により報告されたセル品質が、前記端末装置がサンプリング値の紛失を考慮した後のセル品質であることを示す、ことを更に含むことを特徴とする請求項１〜５のいずれか１項に記載の方法。
【請求項７】
前記端末装置が、前記複数の送信機会に受信された前記第１の基準信号の測定値に基づいてセル品質を決定することは、
前記端末装置は、式Ｆｎ＝（１−ａ）＊Ｆｎ−１＋ａＭｎに応じて前記セル品質を決定し、ここで、前記ｎはサンプリング回数を表し、前記Ｆｎはセル品質を表し、前記Ｍｎは測定値を表し、前記ａは重み係数を表すことを特徴とする請求項１〜６のいずれか１項に記載の方法。
【請求項８】
端末装置であって、
５Ｇ通信システムに適用され、
ネットワーク装置により送信された測定設定情報を受信し、前記測定設定情報は無認可周波数帯域での第１の基準信号の複数の送信機会に関する設定情報を含む、ことに用いられ送受信ユニットと、
前記設定情報に基づいて、前記複数の送信機会に前記第１の基準信号を受信するように前記送受信ユニットを制御し、そして前記第１の基準信号を測定し、更に、前記複数の送信機会に受信された前記第１の基準信号の測定値に基づいて前記セル品質を決定することに用いられる処理ユニットと、を備える、ことを特徴とする端末装置。
【請求項９】
前記処理ユニットは、具体的には、
前記複数の送信機会のうちの第１の送信機会に前記第１の基準信号を受信していない場合、前記第１の送信機会より前の第２の送信機会に受信された前記第１の基準信号の測定値を、前記第１の送信機会での前記第１の基準信号の測定値として決定する、ことに用いられることを特徴とする請求項８に記載の端末装置。
【請求項１０】
前記複数の送信機会は同一の時間ウィンドウに属し、前記設定情報は、時間ウィンドウ内の前記複数の送信機会に関する設定情報を含み、
前記送受信ユニットは、更に、
ネットワーク装置により送信された測定設定情報を受信する前に、前記第１の基準信号のタイプを含む少なくとも１つの基準信号タイプと、前記少なくとも１つの基準信号タイプに対応する時間ウィンドウ情報とを含む、前記ネットワーク装置により送信されたマッピング関係情報を受信することに用いられ、
前記処理ユニットは、具体的には、
前記マッピング関係情報及び前記第１の基準信号のタイプに基づいて、前記第１の基準信号に対応する時間ウィンドウを決定することと、
前記設定情報に基づいて、前記第１の基準信号に対応する時間ウィンドウ内の前記複数の送信機会に、前記第１の基準信号を受信するように前記送受信ユニットを制御し、そして前記第１の基準信号を測定することと、に用いられ、
前記時間ウィンドウ情報は、前記時間ウィンドウの開始位置及び／又は前記時間ウィンドウの終了位置を含むことを特徴とする請求項８又は９に記載の端末装置。
【請求項１１】
前記測定設定情報は、固定時間位置での複数のオフセット値を含み、
前記処理ユニットは、具体的には、
前記複数のオフセット値に応じて決定された前記複数の送信機会に、前記ネットワーク装置により送信された前記第１の基準信号を受信するように前記送受信ユニットを制御する、ことに用いられることを特徴とする請求項８又は９に記載の端末装置。
【請求項１２】
前記送受信ユニットは、具体的には、
前記測定設定情報を含む、前記ネットワーク装置により送信されたシステム情報を受信する、ことに用いられることを特徴とする請求項８〜１１のいずれか１項に記載の端末装置。
【請求項１３】
前記送受信ユニットは、具体的には、
前記測定設定情報を含む、前記ネットワーク装置により送信された無線リソース制御（ＲＲＣ）シグナリングを受信する、ことに用いられることを特徴とする請求項８〜１１のいずれか１項に記載の端末装置。
【請求項１４】
前記送受信ユニットは、更に、
レポート情報を前記ネットワーク装置に送信し、前記レポート情報は、指示情報と前記端末装置が前記第１の基準信号に基づいて取得したセル品質とを含み、前記指示情報は、前記端末装置により報告されたセル品質が、前記端末装置がサンプリング値の紛失を考慮した後のセル品質であることを示す、ことに用いられることを特徴とする請求項８〜１３のいずれか１項に記載の端末装置。
【請求項１５】
前記処理ユニットは、より具体的には、
式Ｆｎ＝（１−ａ）＊Ｆｎ−１＋ａＭｎに応じて前記セル品質を決定し、ここで、前記ｎはサンプリング回数を表し、前記Ｆｎはセル品質を表し、前記Ｍｎは測定値を表し、前記ａは重み係数を表す、ことに用いられることを特徴とする請求項８〜１４のいずれか１項に記載の端末装置。
【国際調査報告】
2021514556.tif 000011
2021514556.tif 000012
2021514556.tif 000013
2021514556.tif 000014